(57)【要約】【課題】  従来技術による冷蔵庫内の目障りな品物を外部から見えいで済むという利点を維持しながら、尚且つ内部が見えないという欠点のために要もなく開く回数が増え、強いては無駄な開放時間も増えるという省エネの理念から見た矛盾の課題がある中で、上記の「見えざるべき」と「見えるべき」という相反する二つの要求を当時に満足する。従来技術による冷蔵庫の省エネのために頻繁に覗き込みことを許さないという緊張型冷蔵庫の問題を解決することを課題とする。【解決手段】  上記課題を解決するために、先見の明型冷蔵庫であって、片方向透視性の材料で作られた扉又は壁と内部ランプ及びそのスイッチとを持ち、先に内部を見てから、その後で開くことで扉を閉じたままで内部の品物を見たい時に扉又は壁を透視性に変換する、又は内部の品物を見る必要がない時に従来のカラー色の冷蔵庫と同じ外観が見えるようにしている。【選択図】図２
2009270806.tif 000002
【特許請求の範囲】
【請求項１】
片方向透視性の材料で作られた扉又は壁と内部ランプ及びそのスイッチとを持ち、先に内部を見てから、その後で開くことで扉を閉じたままで内部の品物を見たい時に扉又は壁を透視性に変換するか又は内部の品物を見る必要がない時に従来のカラー色の冷蔵庫と同じ外観が見えるのを特徴としている先見の明型冷蔵庫。
【請求項２】
扉又は壁の一部又は全部の領域が片方向透視性となっており、この透視領域は微小で透明な網目と光を遮蔽する網枠とを一定間隔で無数に繰返し配列した模様、又は逆に微小で透明な網枠と光を遮蔽する網目を一定間隔で無数に繰り返し配列した模様の気密性を持つ材料から成ることを特徴とする請求項１記載の先見の明型冷蔵庫。
【請求項３】
内部ランプが扉を開いた状態の時だけ点灯するばかりでなく、更には接触式及び／又は無接触式等のスイッチによって扉を閉じたままの状態でも点灯又は消灯でき、同スイッチで制御する内部ランプは冷蔵庫を透視不可能から透視可能にするか又はその逆に変換する役割を持ち、請求項２記載の片方向透視性材料を介して、同冷蔵庫の内部ランプの点灯時に内部を透視でき、逆に同冷蔵庫の内部ランプ消灯時に遮蔽に変換し、従来の冷蔵庫と同じカラー色の扉及びカラー色の外壁を自然に見せることを特徴とする請求項１記載の先見の明型冷蔵庫。
【発明の詳細な説明】
【技術分野】
【０００１】  本発明は先に内部を見てからその後で扉を開く形式の冷蔵庫に関するものである。
【背景技術】
【０００２】  従来技術の冷蔵庫は先に開いて、その後で見る形式である。冷蔵庫内部の目障りな貯蔵品を遮蔽するために、従来冷蔵庫の扉及び壁等は遮蔽するための不透明色彩を持つ。各メーカーは省エネのために扉のサイズを変更したり、扉を左右両開きにする等の方式を改良したりしている。しかし、従来技術の冷蔵庫は全て先に開いてから見るという前提である。
【発明の開示】
【発明が解決しようとする課題】
【０００３】  従来技術による冷蔵庫内の目障りな品物が外部から見えないという利点を維持しながら、尚且つ内部が見えないという欠点のために要もなく開く回数が増え、強いては無駄な開放時間も増えるという省エネの理念から見た矛盾の課題がある中で、本発明は上記の「見えざるべき」と「見えるべき」という相反する二つの要求を当時に満足する。従来技術の冷蔵庫の扉を開く回数及び開放時間を縮小する効果を得ることにより、従来、省エネのために冷蔵庫を頻繁に覗き込みことを許さないという緊張型冷蔵庫の課題を解決している。
【課題を解決するための手段】
【０００４】  本発明は片方向透視性の材料で作られた扉又は壁と内部ランプ及びそのスイッチとを持ち、先に内部を見てから、その後で開くことで扉を閉じたままで内部の品物を見たい時に扉又は壁を透視性に変換するか又は内部の品物を見る必要がない時に従来のカラー色の冷蔵庫と同じ外観が見えるようにする。【０００５】  本発明は扉又は壁の一部又は全部の領域が片方向透視性となっており、この透視領域は微小で透明な網目と光を遮蔽する網枠とを一定間隔で無数に繰返し配列した模様、又は逆に微小で透明な網枠と光を遮蔽する網目を一定間隔で無数に繰り返し配列した模様の気密性を持つ材料を用いる。【０００６】  本発明は内部ランプが扉を開いた状態の時だけ点灯するばかりでなく、更には接触式及び／又は無接触式等のスイッチによって扉を閉じたままの状態でも点灯又は消灯でき、同スイッチで制御する内部ランプは冷蔵庫を透視不可能から透視可能にするか又はその逆に変換する役割を持ち、請求項２記載の片方向透視性材料を介して、同冷蔵庫の内部ランプの点灯時に内部を透視でき、逆に同冷蔵庫の内部ランプ消灯時に遮蔽に変換し、従来の冷蔵庫と同じカラー色の扉及びカラー色の外壁を自然に見せる。【０００７】  尚、請求項１記載の「冷蔵庫」は本発明の単なる一例であって、このほか応用として特定の温度を保ちながら貯蔵品を収納又は貯蔵するあらゆる種類の倉庫、部屋、輸送車両、貯蔵庫、貯蔵箱等を含み例えば、冷凍庫、冷凍冷蔵庫、冷凍室、冷蔵室、車内冷蔵庫、携帯型冷凍冷蔵庫、アイスボックス、野菜室、保温室、保温貯蔵庫等を含む。【０００８】  請求項２記載の微小で透明な網目と光を遮蔽する網枠とを一定間隔で無数に繰返し配列した模様の「片方向透視性」材料は、網戸より更に細かく、且つ高い密度の模様により本発明冷蔵庫に下記の効果を持たせることができる：当該冷蔵庫の内部ランプが点灯した際に、上記の材料に設けられた透明領域の網目（７）が明るく変わり、図４で示した通り、人の目線がこの内部からの反射により照らされている所に引き寄せられることで、その透視材料（２０）を通じて視線が冷蔵庫の明るい内部に導かれるため、本来ならその材料（２０）の中の遮蔽個所が存在する暗い網枠（８）をも気にせずに当該冷蔵庫の内部を透視することができる。逆に、本発明冷蔵庫の内部ランプが消灯して内部が暗い時には、図５で示した通り、目線が外部から照らされて反射している明るい網枠の所に導かれ、見えるのは外部の光に照らされているこの透視材料（２０）内の遮蔽箇所（８）、即ち本発明冷蔵庫の遮蔽扉や遮蔽外壁である。又は請求項２記載の微小で透明な網枠と遮蔽する網目を一定間隔で無数に繰り返し配列した模様の材料も同じ「片方向透視性」効果が得られる。【０００９】  尚、本発明冷蔵庫の扉の各段ポケットや引き出しトレイ及び場合によりその他の断熱材等は内部が見えるように透明の材料で構成されている。【００１０】  尚、本発明冷蔵庫の内部ランプは扉や壁の透視領域に透視性を得ることができる明るさをもたらす必要がある。【００１１】  請求項３記載の「接触式及び／又は無接触式等」のスイッチは本発明冷蔵庫の内部ランプの開閉方式であり、その中には例えば機械式、光学式、電子式、熱感知��、音声式、時間式等が含まれる。人が当該冷蔵庫内部を見る必要があるか又はないかを示す信号の変化を検出して当該冷蔵庫の点灯又は消灯を行う装置である。
【発明の効果】
【００１２】  本発明は冷蔵庫内の品物が扉を閉じている状態でも外部から透視でき、必ず「先に開いて」から、「その後で」初めて見ることができるという概念又は習慣を変えている。不要に扉を開く回数及び扉の開放時間を減らすことで更なる省エネ効果を得る。【００１３】  従来、「頭脳」を用いて記憶するやり方であったが、内部の品物を見ることができないために忘れてしまい、又しても同じ品物を重複して買いに行ってしまったり、又は品物が下敷状態で気付かれないまま賞味期限を越えてしまい、腐乱し、捨てられてしまったりする浪費が多かったり、又、品物が長期間使用されずにカビが生え、冷蔵庫内の空気を汚染してしまうというような不衛生な状態が蔓延していたのに対して、本発明では扉を閉じている状態でも冷蔵庫内の品物を外部から「目」で直接確認でき、上記の浪費や不衛生の問題を改善している。【００１４】  本発明では扉を閉じている状態でも冷蔵庫内の品物が外部から透視でき、「充分な時間」を掛けて内部の品物を「全般的」に見渡すゆとりがあり、複数の人が品物を移動しても、冷蔵庫内部の状況を一瞬に把握し、品物を出し入れする時に前もって対策を考えてから合理的且つ美観的に整理や管理を行うことができる。
【発明を実施するための最良の形態】
【００１５】  遮蔽カラー色の冷蔵庫に透視領域全体を刳り貫く穴を空ける（図３）。この穴は下記の気密性材料で密封する：微小で透明な網目と光を遮蔽する網枠とを一定間隔で無数に繰返し配列した模様、又は逆に微小で透明な網枠と光を遮蔽する網目を一定間隔で無数に繰り返し配列した模様を持ち、これらの遮蔽網目又は遮蔽枠を当該カラー冷蔵庫の色と同じ色にした材料。尚、当該冷蔵庫が閉じられた状態の時にも冷蔵庫の内部ランプが点灯又消灯できるスイッチ（１）を冷蔵庫の外部に設置する。透視性の確認は下記の通り行う：当該冷蔵庫の扉を閉じる。当該冷蔵庫の内部ランプを消灯した状態で、図１のように、透視性領域から冷蔵庫内部が見えなくなるまで網の目及び／又は網の枠模様及び／又はその密度を調整する工程を続ける。当該冷蔵庫の内部ランプを点灯した状態で、図２のように、内部が透視できるまで網の目及び／又は網の枠模様及び／又はその密度を調整する工程を続ける。以上のように、本実施形態により「見えざるべき」と「見えるべき」という相反する二つの要求を当時に満足が得られる。【００１６】  微小な無数の均一の穴を設けたステンシルを透明の冷蔵庫の片透視にすべき領域に当ててカラー塗料を透明の冷蔵庫全体に噴射塗装した後で、同ステンシルを外す。尚、当該冷蔵庫が閉じられた状態の時にも冷蔵庫の内部ランプが点灯又消灯できるスイッチ（１）を冷蔵庫の外部に設置する。透視性の確認は下記の通り行う：当該冷蔵庫の扉を閉じる。当該冷蔵庫の内部ランプを消灯した状態で、図１のように、透視性領域から冷蔵庫内部が見えなくなるまで網の目及び／又は網の枠模様及び／又はその密度を調整する工程を続ける。当該冷蔵庫の内部ランプを点灯した状態で、図２のように、内部が透視できるまで網の目及び／又は網の枠模様及び／又はその密度を調整する工程を続ける。以上のように、本実施形態により「見えざるべき」と「見えるべき」という相反する二つの要求を当時に満足が得られる。【００１７】  透明の冷蔵庫の不透明領域にはカラーシートを貼り、片透視にすべき領域には透明シート上に不透明領域と同じカラー色の微小で透明な網目と光を遮蔽する網枠とを一定間隔で無数に繰返し配列した模様、又は逆に微小で透明な網枠と光を遮蔽する網目を一定間隔で無数に繰り返し配列した模様を実現したプリント済みシートを貼る。尚、当該冷蔵庫が閉じられた状態の時にも冷蔵庫の内部ランプが点灯又消灯できるスイッチ（１）を冷蔵庫の外部に設置する。透視性の確認は下記の通り行う：当該冷蔵庫の扉を閉じる。当該冷蔵庫の内部ランプを消灯した状態で、図１のように、透視性領域から冷蔵庫内部が見えなくなるまで網の目及び／又は網の枠模様及び／又はその密度を調整する工程を続ける。当該冷蔵庫の内部ランプを点灯した状態で、図２のように、内部が透視できるまで網の目及び／又は網の枠模様及び／又はその密度を調整する工程を続ける。以上のように、本実施形態により「見えざるべき」と「見えるべき」という相反する二つの要求を当時に満足が得られる。
【図面の簡単な説明】
【００１８】
【図１】本発明冷蔵庫を消灯した状態で内部を透視できない時の外観図。
【図２】本発明冷蔵庫の内部ランプを点灯した状態で内部を透視できる時の外観図。
【図３】本発明冷蔵庫の透視領域に大きな穴を空けた場合の外観図。
【図４】本発明の冷蔵庫の内部ランプを点灯した状態で透視性材料を介して外から内部を見ることができる効果を示した拡大断面図。
【図５】本発明の冷蔵庫の内部ランプを消灯した状態で透視性材料を介して外から内部を見ることができない効果を示した拡大断面図。
【符号の説明】
【００１９】１冷蔵庫の内部ランプの外部スイッチ
２微小な透明性と遮蔽性の模様を一定間隔で無数に繰り返し配列した気密性材料
３冷蔵庫の内部ランプ
４冷蔵庫内の品物
５人の目
６光の反射
７微小な透明性模様の拡大断面図
８微小な遮蔽性模様の拡大断面図
９冷蔵庫内部
１１冷蔵庫の内部ランプのドア開閉検出用スイッチ
１２冷蔵庫の内部ランプの電源
２０透視性材料の拡大断面図
【図１】
2009270806.tif 000003
【図２】
2009270806.tif 000004
【図３】
2009270806.tif 000005
【図４】
2009270806.tif 000006
【図５】
2009270806.tif 000007